(57)【要約】【課題】コネクタの所定位置にフラットケーブルがロックされていることを外観で判別でき、かつロックの解除が容易なシールドコネクタを提供する。【解決手段】シールドフラットケーブル２０の先端部が差し込まれる差込み部６が形成されたハウジング２と、差込み部６に装着された端子列３と、導電性部材で形成され、差込み部のハウジング上面８に配置されたシールドロック部材４と、端子列３の配列方向のハウジング２の両端部１１に固定され、導電性部材で形成され、シールドロック部材４をハウジング上面８に押圧する押えばね部５ｃを有する押え部材５と、シールドロック部材４の下面から垂下させて形成され、シールドフラットケーブル２０の先端部の係止孔２３に挿入される先細り状の係止部１２と、シールドロック部材４の長手方向の側縁に設けられシールドフラットケーブル２０のシールド部材に接触導通されるシールド接触部１４とを備えているシールドコネクタ。【選択図】  図１
2014207162.tif 000002
【特許請求の範囲】
【請求項１】
シールドフラットケーブルの複数の導体が露出された先端部が差し込まれる差込み部が形成されたハウジングと、前記差込み部に装着された複数の端子を備えた端子列と、導電性部材で形成され、前記差込み部のハウジング上面に配置されたシールドロック部材と、前記端子列の配列方向の前記ハウジングの両端部に固定され、導電性部材で形成され、前記シールドロック部材を前記差込み部のハウジング上面に押圧する押えばね部を有する押え部材と、前記シールドロック部材の下面から垂下させて形成され、前記シールドフラットケーブルの先端部の両側に形成された係止孔にそれぞれ挿入される先細り状の一対の係止部と、前記シールドロック部材の長手方向の側縁に設けられ前記シールドフラットケーブルのシールド部材に接触導通されるシールド接触部とを備えているフラットケーブル用コネクタ。
【請求項２】
さらに、前記シールドロック部材に隣接して前記ハウジング上面を覆って導電性部材で形成されたシールドカバーを備え、
前記押え部材は、前記シールドカバーの長手方向の両端を折り曲げて前記ハウジングの両端に固定される支持部と一体に形成され、支持部の下端から水平方向に折り曲げて形成されたアース部と、支持部の上端からハウジングの上壁の上面に平行に伸延された押えばね部とを有していることを特徴とする請求項１に記載のフラットケーブル用コネクタ。
【発明の詳細な説明】
【技術分野】
【０００１】
本発明は、シールドコネクタに係り、具体的にはシールド被覆を備えたシールドフラットケーブル用のシールドコネクタに関する。
【背景技術】
【０００２】
シールドフラットケーブルは、可撓性を有する絶縁フィルムに複数の導体パターンを挟んで形成されたケーブル、又は、可撓性を有する平板型の導体を複数本並べて被覆したリボン状のケーブルなどのフラットケーブル（平型ケーブル）を、導電性のシールド部材で被覆して形成されている。このようなシールドフラットケーブルを配線基板等の電子部品に接続するために、通常、シールドコネクタが用いられる。
【０００３】
シールドコネクタ（以下、単にコネクタと略称する。）としては、例えば、特許文献１に記載されたものが知られている。これによれば、シールドフラットケーブル（以下、単にフラットケーブルと略称する。）の複数の導体が露出された先端部が差し込まれる差込み部が形成されたハウジングと、差込み部に装着された複数の端子を備えた端子列と、差込み部及びその周囲部分を除く他の部分のハウジング表面の大部分を覆う導電性シェルと、その導電性シェルに設けられたロック部とを備え、差込み部に差し込まれるフラットケーブル先端部の両側に設けられた切欠き部にロック部を係止させて、フラットケーブルをシールドコネクタに係止すると共に、位置決めするようにしている。また、導電性シェルを配線基板に設けられた接地端子に接続するようにしている。
【０００４】
特許文献１に記載のロック部は、ハウジングの長手方向の両端部に位置する導電性シェルの部材の一部をハウジング内部に折り返し、その折り返し片の側縁に先細り状の係止部を起立させて形成し、その係止部を折り返し片の弾性によりフラットケーブル先端部の切欠き部の方向に付勢して形成されている。これにより、フラットケーブルを挿し込む過程で、フラットケーブルの表面に当接した係止部がロック部の折り返し片の撓みによって後退し、さらにフラットケーブルを差し込んで切欠き部が係止部の位置に達したときに、係止部が切欠き部に進出してフラットケーブルをロックするようにしている。
【０００５】
一方、特許文献１に記載されたロック解除部は、柱状部材を導電性シェルに設けた開口から挿入して、先端をロック部の折り返し片の上面に当接させ、柱状部材を上下方向に移動可能にハウジングに支持させて形成されている。そして、導電性シェルの開口から突き出たロック解除部を下方に変位させてロック部の折り返し片を撓ませることにより、係止部を切欠き部から退出させてロックを解除するように形成されている。
【先行技術文献】
【特許文献】
【０００６】
【特許文献１】特開２０１１−４０２４６号公報
【発明の開示】
【発明が解決しようとする課題】
【０００７】
しかしながら、特許文献１のロック部は、導電性シェルで覆われているから、ロック部の係止部がフラットケーブルの切欠きに落ち込んで、確実に係止されているか否かを外部から見て判別しにくい。この点、導電性シェルの開口からのロック解除部の突出し量によってロック状態をある程度判別できるが、例えば、何らかの原因で確実にロックされていない半ロックの状態になっていると、導通不良等が起きやすいという問題がある。
【０００８】
また、特許文献１のロック解除部は、ハウジングの長手方向の両端部に別々に設けられているから、シールドフラットケーブルを離脱するとき、両方のロック解除部を同時に操作しなければならないので、操作が煩雑になるのを避けることができない。
【０００９】
本発明が解決しようとする課題は、コネクタの所定位置にフラットケーブルがロックされていることを外観で判別でき、かつロックの解除が容易なコネクタを提供することにある。
【課題を解決するための手段】
【００１０】
上記課題を解決するため、本発明のシールドフラットケーブル用コネクタは、シールドフラットケーブルの複数の導体が露出された先端部が差し込まれる差込み部が形成されたハウジングと、前記差込み部に装着された複数の端子を備えた端子列と、導電性部材で形成され、前記差込み部のハウジング上面に配置されたシールドロック部材と、前記端子列の配列方向の前記ハウジングの両端部に固定され、導電性部材で形成され、前記シールドロック部材を前記差込み部のハウジング上面に押圧する押えばね部を有する押え部材と、前記シールドロック部材の下面から垂下させて形成され、前記シールドフラットケーブルの先端部の両側に形成された係止孔にそれぞれ挿入される先細り状の一対の係止部と、前記シールドロック部材の長手方向の側縁に設けられ前記シールドフラットケーブルのシールド部材に接触導通されるシールド接触部とを備えていることを特徴とする。
【００１１】
すなわち、導電性部材で形成されたシールドロック部材の下面に垂下させて一対の係止部を設け、この係止部を押えばね部で差込み部のハウジング上面を押圧していることから、フラットケーブル先端部の係止孔が係止部の位置に差し込まれると、係止部が押えばね部の弾性によって係止孔に挿入されてロックされる。このとき、フラットケーブルの差し込み過程で、シールドロック部材の係止部がフラットケーブルの表面に当接された状態のときは、シールドロック部材はハウジング上面よりも上方に押し上げられる。そして、シールドロック部材の係止部がフラットケーブル先端部に形成された係止孔の位置に達して係止孔に進入してロックがなされると、シールドロック部材はハウジング上面の初期位置に戻される。
【００１２】
したがって、ロック動作の過程では、シールドロック部材は差込み部のハウジング上面に対して上下動し、ロック状態に至ったときはシールドロック部材が初期位置に戻る。このように、シールドロック部材は、ハウジング上面に位置されているから、外部から観察することにより、シールドロック部材のロック動作の状態を容易に判別できる。つまり、シールドロック部材がハウジング上面に押し当てられていれば、差込み部の所定位置にフラットケーブルがロックされていることを判別できる。また、シールドロック部材がハウジング上面から浮き上がっていれば、半ロックないし半係止状態であることを判別できる。この場合、フラットケーブルの差込み姿勢を調節して所定位置にロックさせる操作を行うことができる。
【００１３】
一方、本実施形態においてロックを解除する場合、フラットケーブルの両側部の係止孔に係止している一対の係止部は、シールドロック部材４で連結されていることから、シールドロック部材４を持ち上げることにより、一対の係止部１２のロックを容易に解除することができる。
【００１４】
また、本実施形態によれば、シールドロック部材４が導電性部材で形成されているから、別のシールド部材によりロック部材を覆う必要がないから、部品点数を減らすことができる。しかも、シールドロック部材４の構造が簡単であるから、製造及び組み付けが容易になる。
【００１５】
この場合において、さらに、前記シールドロック部材に隣接して前記ハウジングの上面を覆って導電性部材で形成されたシールドカバーを備えることができる。そして、前記押え部材を、前記シールドカバーの長手方向の両端を折り曲げて前記ハウジングの両端に固定される支持部と一体に形成し、支持部の下端から水平方向に折り曲げて形成されたアース部と、支持部の上端からハウジング上面に平行に伸延された押えばね部とを有して形成することができる。このように形成することにより、シールドカバーとシールドロック部材を電気的に接続することができ、部品点数を減らすことができる。また、アース部を外部の接地回路に接続すれば、シールドロック部材のシールド接触部を介してフラットケーブルのシールド部をアースに接続できる。
【発明の効果】
【００１６】
本発明によれば、コネクタの所定位置にフラットケーブルがロックされていることを外観で判別でき、かつロックの解除が容易になる。
【図面の簡単な説明】
【００１７】
【図１】本発明のシールドフラットケーブル用コネクタの一実施形態の分解斜視図と同コネクタに接続される一例のシールドフラットケーブルの斜視図である。
【図２】本実施形態の組立状態を示す斜視図である。
【図３】本実施形態のシールドロック部材の要部拡大図である。
【図４】本実施形態のシールドフラットケーブル用コネクタの組み付けを説明する要部拡大図である。
【図５】本実施形態のロック動作を説明する図である。
【図６】本実施形態のロック解除動作を説明する図である。
【図７】図５、図６の動作説明の断面位置を示すコネクタの上面図である。
【発明を実施するための形態】
【００１８】
以下、本発明のシールドフラットケーブル用のシールドコネクタ（以下、単にコネクタと略称する。）の一実施形態を、図１〜図６を参照して説明する。図１、２に示すように、本実施形態のコネクタ１は、シールドフラットケーブル（以下、適宜、単にフラットケーブルと略称する。）２０の先端部２１が差し込まれる差込み部６が形成されたハウジング２と、差込み部６に装着される複数の端子を備えてなる端子列３と、差込み部６のハウジング上面に配置されるシールドロック部材４と、端子列３の端子配列方向のハウジング２の両端部１１に固定され、シールドロック部材４を差込み部６のハウジング上面８に押圧する押えばね部を有する押え部材５が一体に形成されたシールドカバー７とを備えて形成されている。
【００１９】
ハウジング２は、樹脂等の絶縁性を有する部材で形成され、差込み部６の空間を形成する底壁２ａと上壁２ｂと両側側壁２ｃを備えて形成されている。また、両側側壁２ｃを形成するハウジング２の両端部１１には、シールドカバー７の両端の支持部７ａが圧入される溝部１１ａと、シールドロック部材４の脚部１３が挿入される支持孔１１ｂが設けられている。さらに、ハウジング２の上壁２ｂの両端には、両側側壁２ｃよりも差込み部６の内部側に位置させて、差込み方向に沿って所定長さの切り込み１１ｃが形成されている。この切り込み１１ｃは、シールドロック部材４の係止部１２が挿入されるものである。そして、切り込み１１ｃに対応する位置の底壁２ａに、係止部１２の先端を逃がす凹所１１ｄが設けられている。また、差込み部６の挿し込み口は、図１に示すように、フラットケーブル２０の差込みを案内するために、ハウジング２の両側壁面２ｃの間隔を広げて、入口壁面２ｄが形成されている。
【００２０】
なお、図１において、端子列３の外部接続端子３ａは、ハウジング２の背面側に突き出して設けられ、図示していない配線基板の接続端子に、はんだ付け等により接続されるようになっている。また、シールドされたフラットケーブル２０は、本実施形態のコネクタ１を構成するものではないが、図１に示すように、例えば、可撓性を有する絶縁フィルムに複数の導体パターンを挟んで形成され、その外表を導電性のシールド部材で被覆して形成されている。フラットケーブル２０の先端部２１は、コネクタ１の差込み部６に差し込まれる部分に対応して形成され、先端部２１はシールド部材が除去され、かつ複数の導体が露出されている。
【００２１】
シールドロック部材４は、差込み部６に装着される端子列３に沿う長手方向を有し、金属などの導電性の板材で形成されている。シールドロック部材４の長手方向の両端には、板材を折り曲げて下面から垂下させた係止部１２と脚部１３が形成されている。なお、図１において一点鎖線Ａで囲った部分の拡大図を図３に示す。係止部１２は、先細り状に形成され、差込み部６の奥側の面はシールドロック部材４の下面に対してほぼ鉛直な係止面１２ａが形成され、反対側の面は傾斜させた進入面１２ｂとして形成され、ハウジング２の上壁２ｂの両端に形成された切り込み１１ｃに挿入されるようになっている。一方、脚部１３は、係止部１２から離して直状の長方形に形成され、ハウジング２の上壁２ｂの両端に形成された支持孔１１ｂに嵌入されるようになっている。また、シールドロック部材４のフラットケーブル２０の差込み側の長手方向の縁部には、フラットケーブル２０の上面に接触可能に巻曲げて形成したシールド接触部１４が形成されている。
【００２２】
シールドカバー７は、シールドシェルとも称され、シールドロック部材４に隣接してハウジング２の上壁２ｂを覆って設けられる。シールドロック部材４と共に差込み部６の上面側をシールドする。本実施形態のシールドカバー７は、金属などの導電性の板材で形成され、両端部に折り曲げ形成されたシールドカバー７の支持部７ａと一体に、一対の押え部材５が形成されている。支持部７ａは、ハウジング２の両端に設けられた溝部１１ａに嵌め込まれるようになっている。支持部７ａに連設して形成された押え部材５は、支持部７ａの一部を形成する鉛直部５ｂの下端に折り曲げ形成された水平なアース部５ａと、鉛直部５ｂの上端からハウジング２の上壁２ｂの上面８に平行に伸延された押えばね部５ｃを有して形成されている。
【００２３】
図２は、本実施形態のコネクタ１を組み立てた状態の斜視図である。図に示すように、ハウジング上面８に図示手前からシールドロック部材４とシールドカバー７が配置されている。まず、図４（ａ）に示すように、先に、シールドロック部材４の脚部１３をハウジング２の両端に形成された支持孔１１ｂに嵌入しながら、係止部１２を切り込み１１ｃに挿入する。次いで、図４（ｂ）に示すように、シールドロック部材４に並べて図示奥側にシールドカバー７を位置させて、支持部７ａをハウジング２の両端に形成された溝部１１ａに圧入して固定する。このとき、押え部材５の押えばね部５ｃによりシールドロック部材４の上面を図において下方に押圧するように固定する。こうして組み立てたコネクタ１の差込み部６の入口から、フラットケーブル２０の先端部２１を差込み部６の所定位置まで差し入れることにより、フラットケーブル２０の先端部２１の両側部に形成された矩形の係止孔２３にシールドロック部材４の係止部１２が進入して係止され、フラットケーブル２０の先端部２１が差込み部６の所定位置にロックされる。そして、先端部２１に露出されている図示していない導体が、端子列３のそれぞれの端子に接触導通される。
【００２４】
ここで、本実施形態のコネクタ１のロック動作とロック解除動作を、図５及び図６を参照して説明する。なお、図５及び図６は、図７（ｂ）に示した切断線を矢視Ｘ−Ｘから見た断面図である。図５（ａ）に示すように、フラットケーブル２０の差込み前において、シールドロック部材４は押えばね部５ｃによってハウジング２の底壁２ａに向けて押し付けられている。これにより、係止部１２の先端部がハウジング２の底壁２ａの凹所１１ｄに位置されている。次に、同図（ｂ）に示すように、フラットケーブル２０の先端部２１が矢印３０の方向から差込み部６に差し込まれて先端が係止部１２の進入面１２ｂに達し、さらに差し込まれると同図（ｃ）に示すように、進入面１２ｂの傾斜面によって係止部１２を押し上げる力が発生し、押えばね部５ｃが上方に変形される。
【００２５】
さらに、フラットケーブル２０を押し込むと、同図（ｄ）に示すように、押えばね部５ｃが上方に変形して、係止部１２が持ち上げられ（図示ｈ）、係止部１２の先端がフラットケーブル２０の先端部２１の上を摺動する。さらに押し込むと、同図（ｅ）に示すように、係止部１２の先端部がフラットケーブル２０の先端部２１の係止孔２３に進入して、押えばね部５ｃが元に復帰する。この状態のとき、係止部１２の係止面１２ａが係止孔２３の差込み方向の先端側の縁２３ａに当接して係止し、フラットケーブル２０の先端は差込み部６の奥壁の近傍まで差し込まれた状態になる。
【００２６】
この状態で、シールドロック部材４のシールド接触部１４が、フラットケーブル２０の表面のシールド部材に導通接触する。これにより、フラットケーブル２０の表面のシールド部材は、シールドロック部材４と押えばね部５ｃとアース部５ａを介して、図示していない配線基板等のアース回路に接続され、所定のシールド効果を発揮することができる。このようにして、フラットケーブル２０の複数の導体が端子列３の複数の端子にそれぞれ導通接触される状態で、位置決めされるとともにロックされる。
【００２７】
一方、ロック解除は、図６（ａ）に示すように、シールドロック部材４を矢印３１の方向に持ち上げて行う。これにより、係止部１２と係止孔２３の係止が外れて、フラットケーブル２０を矢印３２の方向に引き抜いて、フラットケーブル２０の複数の導体が端子列３の複数の端子にそれぞれ導通接触と、フラットケーブル２０の表面のシールド部材とシールド接触部１４との導通接触が解除される。
【００２８】
以上説明したように、本実施形態によれば、シールドロック部材４の下面に垂下させて一対の係止部１２を設け、この係止部１２を押えばね部５ｃで差込み部６のハウジング上面８を押圧していることから、フラットケーブル先端部２１の係止孔２３が係止部１２の位置に差し込まれると、係止部１２が押えばね部５ｃの弾性によって係止孔２３に挿入されてロックされる。このフラットケーブル２０の差し込み過程で、シールドロック部材４の係止部１２がフラットケーブル２０の表面に当接されている状態のときは、シールドロック部材４はハウジング上面８よりも上方に押し上げられる。そして、シールドロック部材４の係止部１２がフラットケーブルの係止孔２３の位置に達し、係止部１２が係止孔２３に進入してロックがなされると、シールドロック部材４はハウジング上面８の初期位置に戻される。したがって、ロック動作の過程では、シールドロック部材４は差込み部６のハウジング上面８に対して上下動し、ロック状態に至ったときはシールドロック部材４が初期位置に戻るから、外部から観察することにより、シールドロック部材４のロック動作の状態を容易に判別できる。言い換えれば、シールドロック部材４がハウジング上面８に押し当てられていれば、差込み部６の所定位置にフラットケーブル２０がロックされていることを判別できる。また、シールドロック部材４がハウジング上面８から浮き上がっていれば、半ロックないし半係止状態であることを判別でき、フラットケーブル２０の差込み姿勢を調節して所定位置にロックさせる操作を行うことができる。
【００２９】
また、ロックを解除する場合は、フラットケーブルの係止孔２３に係止する一対の係止部１２は、シールドロック部材４で連結されているから、押え部材５を外してシールドロック部材を取り外すことにより、一対の係止部のロックを容易に解除することができる。また、本発明によれば、ロック部材を導電性部材で形成したことから、別のシールド部材によりロック部材を覆う必要がない。しかも、ロック部材の構造が簡単であるから、部品点数を減らすことができ、組み付けが容易になる。
【００３０】
また、本実施形態によれば、シールドカバー７と一体に押え部材５を形成しているから、シールドロック部材４とシールドカバー７とを容易に電気的に接続でき、押え部材５のアース部５ａを配線基板等のアース回路に接続するだけで、コネクタ１のシールドを行うことができる。しかも、シールドロック部材４のシールド接触部１４を介して、フラットケーブル２０のシールド部材を容易に配線基板等のアース回路に接続することができる。
【００３１】
以上、本発明を一実施形態に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００３２】
１  シールドコネクタ
２  ハウジング
２ａ  底壁
２ｂ  上壁
２ｃ  側壁
３  端子列
４  シールドロック部材
５  押え部材
５ａ  アース部
５ｃ  押えばね部
６  差込み部
７  シールドカバー
８  ハウジング上面
１１  固定部
１１ａ  溝部
１１ｂ  支持孔
１１ｃ  切り込み
１２  係止部
１２ａ  係止面
１２ｂ  進入面
１３  脚部
１４  シールド接触部
【図１】
2014207162.tif 000003
【図２】
2014207162.tif 000004
【図３】
2014207162.tif 000005
【図４】
2014207162.tif 000006
【図５】
2014207162.tif 000007
【図６】
2014207162.tif 000008
【図７】
2014207162.tif 000009